(57)【要約】【課題】操作者が、通知によってファイナライズ処理を実行可能な時期を容易に把握することを可能とする。【解決手段】撮像装置は、記録媒体に対するファイナライズ処理が実行可能であるか否かを判定し（ステップＳ１０３）、その判定結果に対応した通知を行う（ステップＳ１０４／Ｓ１０５）。【選択図】図６
2007299497.tif 000002
【特許請求の範囲】
【請求項１】
記録媒体に対してデータを記録する記録手段と、
操作手段に対する操作に応じて、前記記録媒体に対してファイナライズ処理を行うファイナライズ処理手段と、
前記記録媒体に対するファイナライズ処理が実行可能であるか否かを判定する判定手段と、
前記判定手段による判定結果に対応した通知を行う通知手段とを有することを特徴とする記録装置。
【請求項２】
前記判定手段によるファイナライズ処理の可否についての判定項目を任意に設定可能な設定手段を更に有することを特徴とする請求項１に記載の記録装置。
【請求項３】
前記判定項目は、当該ファイナライズ処理装置の電源の供給状態に係る判定項目、当該ファイナライズ処理装置の動作モードに係る判定項目、前記記録媒体内の記録データの有無に係る判定項目、環境に係る判定項目、前記記録媒体内の空き容量に係る判定項目、ファイナライズ処理の所要時間に係る判定項目、前記記録媒体のデータ記録時間に係る判定項目、前記記録媒体に対するデータの記録形式の変化に係る判定項目、前記記録媒体に対するデータの記録日時の変化に係る判定項目、及び、前記記録媒体に対するデータの記録期間の経過に係る判定項目のうちの少なくとも何れか一つを含むことを特徴とする請求項２に記載の記録装置。
【請求項４】
前記通知手段は、前記操作手段と一体に設けられていることを特徴とする請求項１乃至３の何れか１項に記載の記録装置。
【請求項５】
前記通知手段は、前記ファイナライズ処理が可能であることを示す情報を表示装置に表示する表示手段を含むことを特徴とする請求項１に記載の記録装置。
【請求項６】
請求項１乃至５の何れか１項に記載の記録装置を有することを特徴とする撮像装置。
【請求項７】
記録媒体に対してデータを記録し、操作手段に対する操作に応じて、前記記録媒体に対してファイナライズ処理を行う記録装置の制御方法であって、
前記記録媒体に対するファイナライズ処理が実行可能であるか否かを判定する判定ステップと、
前記判定ステップによる判定結果に対応した通知を行う通知ステップとを含むことを特徴とする記録装置の制御方法。
【請求項８】
請求項７に記載の記録装置の制御方法をコンピュータに実行させるためのプログラム。
【発明の詳細な説明】
【技術分野】
【０００１】
本発明は、記録媒体に対するファイナライズ処理を行う技術に関するものである。
【背景技術】
【０００２】
従来、テレビ放送を受信し、ＤＶＤ（デジタル多用途ディスク）に記録するＤＶＤレコーダが知られている。また、近年では、ハードディスク（ＨＤＤ）とＤＶＤレコーダを一体的に備えたＨＤＤレコーダも登場している。
【０００３】
一方、ビデオカメラにおいても、近年では、撮影した画像信号をＤＶＤディスクに記録するディスクビデオカメラが登場している。記録用ＤＶＤディスクには様々な種類があるが、特に、追記用のディスクであるＤＶＤ−Ｒディスクや、書き替え可能なディスクであるＤＶＤ−ＲＷディスクは、一般のＤＶＤビデオプレーヤとの互換再生が可能である。
【０００４】
ＤＶＤ−ＲやＤＶＤ−ＲＷディスクに記録した画像、音声信号をＤＶＤビデオプレーヤにて再生するためには、記録済のディスクに対してファイナライズと呼ばれる処理を施す必要がある（例えば、特許文献１、２参照）。
【０００５】
従来、ファイナライズ処理の操作としては、装置が停止状態で、ファイナライズ処理操作キーまたは、ファイナライズ処理実行メニューなどの操作によって実行するようになっている。ファイナライズ処理が実行できない状態では、操作が無効になるか、実行操作の後に、実行できないことを示す警告表示をするようになっている。
【０００６】
【特許文献１】特開２００３−２４７５１号公報
【特許文献２】特開２００１−１９７２４４号公報
【発明の開示】
【発明が解決しようとする課題】
【０００７】
ＨＤＤレコーダでは、一旦ＨＤＤに記録した画像、音声信号をＤＶＤディスクにコピーすることで保存するという使い方が一般的である。
【０００８】
この場合にも、コピー先のＤＶＤディスクに対し、ファイナライズ処理を施すことで、ＤＶＤプレーヤにて再生することが可能となる。このようなＨＤＤレコーダでは、主に放送番組を記録するため、目的の番組の録画時以外の適当なタイミングでダビング、ファイナライズ処理を実行することができる。
【０００９】
一方、ディスクビデオカメラでは、ＨＤＤのような一時保存メディアが無いため、ファイナライズ処理中には記録することができない。そのため、ファイナライズ処理を始めてしまうと、撮影したい場面を撮り逃してしまうおそれがある。
【００１０】
従って、ユーザは、ファイナライズ処理を実行するタイミングをよく考える必要がある。また、ファイナライズが可能な状態であるか、ユーザには容易に認識することができないという問題があった。
【００１１】
そこで、本発明の目的は、操作者が、通知によってファイナライズ処理を実行可能な時期を容易に把握することを可能とすることにある。
本発明の目的は、上記問題を鑑みて、ファイナライズ処理可能時期を、わかりやすく表示することによって、ビデオカメラなどの記録装置の機能を最大限に発揮できるようにして、快適な操作性を提供することである。
【課題を解決するための手段】
【００１２】
本発明の記録装置は、記録媒体に対してデータを記録する記録手段と、操作手段に対する操作に応じて、前記記録媒体に対してファイナライズ処理を行うファイナライズ処理手段と、前記記録媒体に対するファイナライズ処理が実行可能であるか否かを判定する判定手段と、前記判定手段による判定結果に対応した通知を行う通知手段とを有することを特徴とする。
本発明の記録装置の制御方法は、記録媒体に対してデータを記録し、操作手段に対する操作に応じて、前記記録媒体に対してファイナライズ処理を行う記録装置の制御方法であって、前記記録媒体に対するファイナライズ処理が実行可能であるか否かを判定する判定ステップと、前記判定ステップによる判定結果に対応した通知を行う通知ステップとを含むことを特徴とする。
【発明の効果】
【００１３】
本発明においては、記録媒体に対するファイナライズ処理が実行可能であるか否かを判定し、その結果に対応した通知を行うように構成している。従って、本発明によれば、操作者は、通知によってファイナライズ処理を実行可能な時期を容易に把握することが可能となる。
【発明を実施するための最良の形態】
【００１４】
以下、本発明を適用した好適な実施形態を、添付図面を参照しながら詳細に説明する。
【００１５】
図１は、本発明の実施形態に係るデジタルカメラ、デジタルビデオカメラ等の撮像装置の構成を示すブロック図である。
図１において、２００は撮像装置である。２０１は映像を取り込むレンズである。２０２は映像を電気信号に変換する固体センサである。２０３はデジタルデータに変換するＡ／Ｄコンバータである。２０５はアイリスである。２０４はレンズ２０１とアイリス２０５を駆動するモータである。２０９は音声を取り込むマイクである。２１０は音声を増幅するマイクアンプである。２１１は音声をデジタルデータに変換するＡ／Ｄコンバータである。２１２は撮像装置２００を操作する操作キーである。２１３は映像またはオンスクリーンデータ（ＯＳＤ）を表示形式にする表示ドライバである。２１４は映像またはＯＳＤを表示するためのＬＣＤ、ＥＶＦ等の表示器である。２１５は音声を出力するためのスピーカドライバである。２１６はスピーカである。２１７は諸情報を外部から入出力するための外部入出力端子である。２２４は温度、結露などを検出するための各種のセンサである。２５０は記憶媒体である。２２３は記録媒体２５０に対して画像信号や音声信号、その他の信号を記録再生する記録再生ドライブである。２３０はシステムを制御するＣＰＵである。２２２はＣＰＵ２３０とシステムのためのメモリである。２２１は撮像装置２００のための電源装置である。
【００１６】
次に、図１のブロック図を用いて、撮像装置２００の記録動作を説明する。
レンズ２０１を通って入射した被写体からの光は、固体センサ２０２で電気信号に変換される。そして、変換された電気信号はＡ／Ｄコンバータ２０３によってサンプリングされてデジタルデータに変換される。
【００１７】
前記デジタルデータは、輝度Ｙ、色差Ｃｒ、Ｃｂまたは、ＲＧＢなどのデジタル映像信号として、ＣＰＵ２３０に入力される。レンズ２０１は、オートフォーカス機能とズーム機能により、ＣＰＵ２３０の制御命令でモータ２０４が駆動し、移動する。
【００１８】
固体センサ２０２からデータを引き出すためのタイミング信号は、ＣＰＵ２３０により生成される。アイリス２０５は、ＣＰＵ２３０よりモータ２０４の駆動で制御がなされる。
【００１９】
また、レンズ２０１が、防振機能（加速度センサ、防振アクチュエータなど）を備えている場合の動作は、加速度センサと防振アクチュエータの位置センサからの出力がＣＰＵ２３０に入力され、防振制御出力信号として、防振アクチュエータをモータ２０４で駆動制御する。
【００２０】
マイク２０９より得られた音声信号は、マイクアンプ２１０で増幅され、Ａ／Ｄコンバータ２１１によりサンプリングされる。そして、デジタルデータに変換され、ＣＰＵ２３０に入力される。
【００２１】
デジタルデータは、ＣＰＵ２３０で、色分離、白バランス、ガンマ補正、アパーチャ補正などの基本処理と、撮像装置２００の操作キー２１２で設定された、画像サイズ、画質調整、位置調整などの付加処理が行われる。さらに、デジタルデータは、ＣＰＵ２３０において、設定された圧縮方法と圧縮パラメータによってＭＰＥＧ、ＭＪＰＥＧ、ＪＰＥＧ、ＪＰＥＧ２０００、Ｈ２６４等の画像圧縮処理が行われ、画像圧縮データが得られる。
【００２２】
音声データは、撮像装置２００の操作キー２１２で設定された、音質調整などの付加処理が行われ、設定された圧縮方法と圧縮パラメータによって音声圧縮データが得られる。
【００２３】
本実施形態では、画像圧縮データと音声圧縮データはＭＰＥＧ規格を採用し、ストリーム形式は、制御データと共にＭＰＥＧ規格で定められる、プログラムストリームやトランスポートストリームとしてデータストリームを形成する。
【００２４】
なお、制御データとは、撮像装置自体の情報、画像、音声などの記録設定情報、撮影環境情報などの撮影付加情報を意味する。
【００２５】
前記記録データストリームは、ＵＤＦ、ＦＡＴ等のファイルシステム管理のもとに、ファイルとして後述するフォルダにコンテンツファイルとして記録媒体２５０に書き込まれる。ここで、ファイルシステムとは、ファイルの管理を行うための管理情報とファイルデータからなる構造体系を意味する。
【００２６】
さらに、記録媒体２５０に記録される規格（例えば、ＤＶＤビデオ規格、ＤＶＤビデオレコーディング規格、ＤＣＦ規格など）がある場合、前記規格に準じたディレクトリ形式と管理データを含めて記録媒体２５０に書き込まれる。前記ファイルシステムと記録規格を共通化することによって、異なった記憶媒体或いは記録再生機器でも記録再生できるわけである。
【００２７】
記録媒体２５０の記録データは、必要に応じて外部入出力端子２１７に送られる。さらに、確認用として、表示ドライバ２１３を通して、表示器２１４に表示される。
【００２８】
撮像装置２００の電源は、電源２２１より供給され各回路ブロックに供給される。
【００２９】
本実施形態では、記録媒体２５０として、ＤＶＤ−Ｒ及びＤＶＤ−ＲＷを使用することができる。また、記録フォーマットとして、ＤＶＤビデオフォーマット又はＤＶＤビデオレコーディングフォーマットを用いる。
【００３０】
ＤＶＤビデオフォーマットで記録された情報データを、ＤＶＤプレーヤまたはＤＶＤレコーダで再生互換とするには、ファイナライズ処理が必要となる。
【００３１】
次に、図８、図９を用いてファイナライズ処理について説明する。
図８は、円盤状の光ディスクの外観図であり、記録データは同心円上に、デジタルデータとして記録される。図８のＡは、ディスク回転時にチャッキングするための穴である。図８のＢは、光ディスク内に書かれるデータの管理データを記録する管理領域である。図８のＣは、実際の記録情報データが書かれるデータ領域である。図８のＤ、Ｅは、実際の記録データが書かれる様子を示している。また、データ記録は、片面、両面、または、２層、多層面などが用いられる。ビデオモードではデータは、内周から外周に連続的に記録される。
【００３２】
図９は、図８の光ディスクのデータの記録位置を光ディスクの半径方向で説明するためのイメージ図である。
図９において、Ａはインフォメーションエリア（図８の管理領域Ｂに対応）、Ｂはリードインエリア、Ｃはユーザ情報エリア、Ｄはリードアウトエリアである。インフォメーションエリアは、図８の管理領域Ｂに対応し、リードインエリアＢ、ユーザ情報エリアＣ及びリードアウトエリアＤは、図８のデータ領域Ｃに対応する。
【００３３】
一般的には、ファイナライズ前には、インフォメーションエリアＡ、リードインエリアＢ、画像及び音声等のデータを含むユーザ情報エリアが光ディスクに記録されている。ビデオモードでのファイナライズ処理を行うと、リードインエリアＢとユーザ情報エリアＣとの間に管理情報データが記録されるとともに、ユーザ情報エリアＣの外周のリードアウトエリアＤに管理情報が記録される。
【００３４】
前記管理情報を書き込むことによって、ＤＶＤプレーヤでの互換再生を可能とすることがファイナライズ処理である。ユーザ情報エリアＣの記録情報が少ない場合は、ＤＶＤ規格で規定されている以上の情報量で無記録データをパディングする必要がある。ファイナライズ処理時間は、各管理情報の作成、記録するための時間と、ユーザの記録済みの情報量によってのパディング処理時間で、おおよそ決定される。そのため、ユーザの記録済みの情報量によってファイナライズ処理時間が変動する。
【００３５】
図２は、図１のブロック図内での操作キー２１２の詳細図である。例として"巻き戻し"、"停止"、"再生"、"早送り"、"ファイナライズ"、"メニュー"の操作スイッチを配置しているが、機器の仕様に応じて必要なキーを配置することができる。
【００３６】
図３は、図２の操作キー２１２での"ファイナライズ"操作キーの構造を説明するための図である。
図３において、Ｉはスイッチ、ＪはＬＥＤ（発光ダイオード）である。双方とも１片はＧＮＤに配線され、他方は、図１のＣＰＵ２３０に接続され、スイッチＩは、ＣＰＵ２３０の入力となる。また、ＬＥＤＪはＣＰＵ２３０にて発光が制御される。そして、スイッチＩは透明、または半透明の部材で構成されており、ＬＥＤの発光に連動して発光する構成となっている。
【００３７】
次に、ファイナライズ処理通知に関する動作を説明する。ビデオカメラ、デジタルカメラなどの撮像装置２００として操作者が、記録、再生、編集動作等の操作をしている間、ＣＰＵ２３０にて、ファイナライズ処理が可能であるかを判定する。
【００３８】
具体的には、電源２２１の供給状態を監視してファイナライズ処理が可能であるかを判定する。また、撮像装置２００の動作モードがファイナライズ処理できるモードであるかを判定する。また、記録情報（コンテンツ）が記録されているかを判定する。また、温度、結露、振動、落下などの環境の影響でファイナライズ処理ができるかを判定する。また、記録媒体２５０の空き容量の閾値での判定を行う。また、ファイナライズ処理の所要時間の閾値での判定を行う。また、記録媒体２５０の記録時間の閾値での判定を行う。また、記録情報の記録形式、例えば、記録モード、記録アスペクト、記録レートの変化があった場合、または、変化が閾値以上起こったことの判定を行う。また、記録日時、例えば、所定の日時が変わった場合、または、所定期間の日時が経過した場合の判定を行うこと等である。
【００３９】
前記判定条件のいずれか、または全てがファイナライズ処理可能と判定された場合、操作キー２１２内にある、"ファイナライズ"操作キーの図３のＬＥＤを点灯あるいは、点滅させるように制御する。これによって操作者が、ファイナライズ処理が可能であることが視覚的に把握することができ、ファイナライズ処理を直感的に行える。また、判定条件によって、点滅周期を変化させたり、表示色を変化させることも可能である。
【００４０】
また、撮像装置２００の表示器２１４にファイナライズ処理が可能であることを表示することも有効である。図４は、表示器２１４の表示状態を説明するための図であり、図４のＡは動作モードで"停止"、Ｂは記録時間で"０：１２：１１"、Ｃは残量時間"１５分"と表示している。また、ファイナライズ可能と判定された場合は、Ｄの"ファイナライズ可能"と表示して操作者に通知を行うことを表している。表示は文字だけでなくアイコン等も考えられる。
【００４１】
さらに、ファイナライズ処理の通知条件を、メニュー設定で操作者が自由に設定することも可能である。図５は、通知条件を撮像装置２００の表示器２１４にメニュー表示していることを示す図である。
【００４２】
メニュー設定項目の一つとして、図内"☆ファイナライズ通知設定メニュー☆"として、通知自体を行うか否か、電源種類でのファイナライズ通知を行うか否か（例ではＡＣ接続またはバッテリ接続の選択）、記録情報（コンテンツ）の有無で通知を行なうか否か、本体温度が閾値以上でファイナライズ通知を行わない場合の閾値設定、記録媒体の空き容量が閾値以上でファイナライズ通知を行わない場合の閾値設定、記録時間が閾値以下でファイナライズ通知を行わない場合の閾値設定、ファイナライズ処理時間が閾値以上でファイナライズ通知を行わない場合の閾値設定、日時変化時にファイナライズ通知を行うか否か、記録情報変化（記録モード、記録レート、アスペクト等）で通知を行うか否か等を設定することによって、操作者が自由にカスタマイズできる。設定情報は、撮像装置２００内の不揮発性メモリ等に記憶される。
【００４３】
図６は、本実施形態の動作の流れを示すフローチャートである。
図６において、ステップＳ１０１にてファイナライズ処理可能通知のタスク１を起動する。続くステップＳ１０２にて、操作者が設定した通知条件または、撮像装置２００のデフォルト条件を読み込む。ステップＳ１０３にて、ステップＳ１０２で読み込んだ設定条件に基づいて撮像装置２００の状態でファイナライズ処理を行うことが可能であるか判定する。可能であればステップＳ１０４にて操作キー２１２のＬＥＤを発光させる。ステップＳ１０３で不可能と判定した場合はステップＳ１０５でＬＥＤを発光停止させる。そして、ステップＳ１０６でこのタスク１を停止する場合は、ステップＳ１１０でタスク１を終了する。そうでなければ、ステップＳ１０２に戻って処理を続行させる。
【００４４】
図７も本実施形態の動作の流れを示すフローチャートである。
図７にて、ステップＳ２０１でファイナライズ処理タスクを起動する。続くステップＳ２０２で、操作者がファイナライズ処理操作を行ったか判定する。操作が行われていなければステップＳ２０９に遷移し、操作が行なわれた場合、ステップＳ２０３にて、操作キー２１２を点滅状態Ａとさせ、ステップＳ２０４でファイナライズ処理の確認画面を表示する。
【００４５】
ステップＳ２０５で操作者が確認画面においてファイナライズ処理をキャンセルする場合はステップＳ２０８に遷移し、確認画面においてファイナライズ処理の実行を決定した場合はステップＳ２０６に遷移する。ステップＳ２０６にて、操作キー２１２を点滅状態Ｂとさせファイナライズ処理を実行する。ステップＳ２０７で処理終了を判定して、終了した場合、ステップＳ２０８で操作キー２１２の発光を停止する。ステップＳ２０９でこのタスクを停止する場合は、ステップＳ２２０でタスクを終了する。そうでなければ、ステップＳ２０２に戻って処理を続行させる。
【００４６】
以上のように、ファイナライズ処理が可能状態と判定されている場合、操作キー２１２の発光状態を変化させ、操作者にファイナライズ処理が可能であることを通知することで、適時に操作者がファイナライズ操作を行える。
【００４７】
さらに、操作キー２１２にＬＥＤを組み込むことによって、視覚的な通知に応じてファイナライズ操作が行えるので、操作性を向上させることができる。
【００４８】
さらに、複数のファイナライズ判定を自動的に撮像装置２００が判定することで、常にファイナライズできるかが容易に認識でき、また、操作者に負担をかけず、且つ適切にファイナライズ処理を操作させることができる。
【００４９】
さらに、操作者が、ファイナライズ判定について、判定項目、条件を任意に設定することで、操作者が好きにカスタマイズできる。従って、より適した条件で通知されファイナライズ処理の操作ができる。
【００５０】
さらに、画像を入力する撮像手段を有するビデオカメラ等の組み込み機器においては、再生互換が必要となる、ある意味で煩雑操作のファイナライズ処理を、必要に応じてのみ、適時に操作者が行える。従って、操作者は、本体の主目的であるビデオカメラ等の撮影、鑑賞に専念することができる。
【００５１】
また、本発明の目的は、前述した実施形態の機能を実現するソフトウェアのプログラムコードを記録した記憶媒体をシステム或いは装置に供給し、そのシステム等のコンピュータが記憶媒体からプログラムコードを読み出し実行することによっても達成される。
【００５２】
この場合、記憶媒体から読み出されたプログラムコード自体が前述した実施形態の機能を実現することになり、プログラムコード自体及びそのプログラムコードを記憶した記憶媒体は本発明を構成することになる。
【００５３】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００５４】
また、コンピュータが読み出したプログラムコードの指示に基づき、コンピュータ上で稼動しているＯＳ等が実際の処理の一部又は全部を行い、その処理によって前述した実施形態の機能が実現される場合も含まれる。
【００５５】
さらに、記憶媒体から読み出されたプログラムコードが、コンピュータに接続された機能拡張ユニット等に備わるメモリに書込まれた後、そのプログラムコードの指示に基づきＣＰＵ等が実際の処理を行い、前述した実施形態の機能が実現される場合も含まれる。
【図面の簡単な説明】
【００５６】
【図１】本発明の実施形態に係るデジタルカメラ、デジタルビデオカメラ等の撮像装置の構成を示すブロック図である。
【図２】図１のブロック図内での操作キーの詳細図である。
【図３】図２の操作キーでのファイナライズ操作キーの構造を説明するための図である。
【図４】表示器の表示状態を説明するための図である。
【図５】通知条件を撮像装置の表示器にメニュー表示していることを示す図である。
【図６】本発明の実施形態の動作を示すフローチャートである。
【図７】本発明の実施形態の動作を示すフローチャートである。
【図８】円盤状の光磁気ディスクの外観図である。
【図９】図８のディスクのデータの所属をディスクの半径方向で説明するためのイメージ図である。
【符号の説明】
【００５７】
２００  撮像装置
２０１  レンズ
２０２  個体センサ
２０３  Ａ／Ｄコンバータ
２０４  モータ
２０５  アイリス
２０９  マイク
２１０  マイクアンプ
２１１  Ａ／Ｄコンバータ
２１２  操作キー
２１３  表示ドライバ
２１４  表示器
２１５  スピーカドライバ
２１６  スピーカ
２１７  外部入出力端子
２２１  電源装置
２２２  メモリ
２２３  記録再生ドライブ
２２４  センサ
２３０  ＣＰＵ
２５０  記録媒体
【図１】
2007299497.tif 000003
【図２】
2007299497.tif 000004
【図３】
2007299497.tif 000005
【図４】
2007299497.tif 000006
【図５】
2007299497.tif 000007
【図６】
2007299497.tif 000008
【図７】
2007299497.tif 000009
【図８】
2007299497.tif 000010
【図９】
2007299497.tif 000011